【手続補正書】
【提出日】平成30年12月10日(2018.12.10)
【手続補正１】
【補正対象書類名】特許請求の範囲
【補正対象項目名】全文
【補正方法】変更
【補正の内容】
【特許請求の範囲】
【請求項１】
非優先ワイヤレスデバイスにおける通信の方法であって、
共有またはアンライセンススペクトルについてクリアチャネルアセスメント（ＣＣＡ）を実施することと、ここにおいて、前記ＣＣＡの長さは、優先ステータスの順序付きセットからの、ある優先ステータスに少なくとも部分的に基づく、
前記ＣＣＡに少なくとも部分的に基づいて、第１の送信時間期間中に信号を送信するために前記共有またはアンライセンススペクトルが利用可能であるかどうかを決定することと、
前記第１の送信時間期間中に前記共有またはアンライセンススペクトル内のキャリア上で前記信号を送信することと、
専用の時間間隔中に前記キャリアについて媒体プリエンプション機会を識別することと、
優先ワイヤレスデバイスから、前記媒体プリエンプション機会中に媒体プリエンプションのインジケーションを受信することと、
前記媒体プリエンプションのインジケーションと優先ステータスとに少なくとも部分的に基づいて、後続の送信時間期間中に前記キャリア上で送信することを控えることと
を備える方法。
【請求項２】
前記ＣＣＡを実施することは、
前記共有またはアンライセンススペクトル上のエネルギープロファイルを検出すること、または前記共有またはアンライセンススペクトル上で送信されたプリアンブルを監視することを備える、
請求項１に記載の方法。
【請求項３】
前記ＣＣＡの最小ベースステップの長さは、前記媒体プリエンプション機会の長さよりも長い、請求項１に記載の方法。
【請求項４】
前記優先ステータスの順序付きセットからの各優先ステータスは、相互に重なり合っていないＣＣＡカウンタレンジのセットからの、あるＣＣＡカウンタレンジに関連付けられ、各ＣＣＡカウンタレンジについての最小値は、あらゆる先行ＣＣＡカウンタレンジについての最大値よりも大きい、請求項１に記載の方法。
【請求項５】
前記共有またはアンライセンススペクトルを備える周波数帯は、少なくとも１つの優先ネットワークオペレータにライセンスされ、前記優先ステータスは、前記周波数帯を使用する非優先ネットワークオペレータに関連付けられる、請求項１に記載の方法。
【請求項６】
非優先ワイヤレスデバイスにおける通信のための装置であって、
共有またはアンライセンススペクトルについてクリアチャネルアセスメント（ＣＣＡ）を実施する手段と、ここにおいて、前記ＣＣＡの長さは、優先ステータスの順序付きセットからの、ある優先ステータスに少なくとも部分的に基づく、
前記ＣＣＡに少なくとも部分的に基づいて、第１の送信時間期間中に信号を送信するために前記共有またはアンライセンススペクトルが利用可能であるかどうかを決定する手段と、
前記第１の送信時間期間中に前記共有またはアンライセンススペクトル内のキャリア上で前記信号を送信する手段と、
専用の時間間隔中に前記キャリアについて媒体プリエンプション機会を識別する手段と、
優先ワイヤレスデバイスから、前記媒体プリエンプション機会中に媒体プリエンプションのインジケーションを受信する手段と、
前記媒体プリエンプションのインジケーションと優先ステータスとに少なくとも部分的に基づいて、後続の送信時間期間中に前記キャリア上で送信することを控える手段と、
を備える装置。
【請求項７】
前記ＣＣＡを実施する前記手段は、前記共有またはアンライセンススペクトル上のエネルギープロファイルを検出する、または前記共有またはアンライセンススペクトル上で送信されたプリアンブルを監視する、請求項６に記載の装置。
【請求項８】
前記ＣＣＡの最小ベースステップの長さは、前記媒体プリエンプション機会の長さよりも長い、請求項６に記載の装置。
【請求項９】
前記優先ステータスの順序付きセットからの各優先ステータスは、相互に重なり合っていないＣＣＡカウンタレンジのセットからの、あるＣＣＡカウンタレンジに関連付けられ、各ＣＣＡカウンタレンジについての最小値は、あらゆる先行ＣＣＡカウンタレンジについての最大値よりも大きい、請求項６に記載の装置。
【請求項１０】
前記共有またはアンライセンススペクトルを備える周波数帯は、少なくとも１つの優先ネットワークオペレータにライセンスされ、前記優先ステータスは、前記周波数帯の非優先ネットワークオペレータに関連付けられる、請求項６に記載の装置。
【請求項１１】
請求項１〜請求項５のうちのいずれか一項に記載の方法をインプリメントするための命令を備える、コンピュータプログラム。
【手続補正２】
【補正対象書類名】明細書
【補正対象項目名】０１２６
【補正方法】変更
【補正の内容】
【０１２６】
[0137]  本明細書で説明された技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムのような、様々なワイヤレス通信システムに対して使用され得る。「システム」及び「ネットワーク」という用語は、しばしば交換可能に使用される。ＣＤＭＡシステムは、ＣＤＭＡ２０００、ユニバーサル地上無線アクセス（ＵＴＲＡ）、等のような無線技術を実施し得る。ｃｄｍａ２０００は、ＩＳ−２０００、ＩＳ−９５およびＩＳ−８５６規格をカバーする。ＩＳ−２０００リリース０およびＡは一般に、ＣＤＭＡ２０００  １Ｘ、１Ｘ、等と呼ばれる。ＩＳ−８５６（ＴＩＡ−８５６）は、一般的に、ＣＤＭＡ２０００  １ｘＥＶ−ＤＯ、高速パケットデータ（ＨＲＰＤ）、等と称される。ＵＴＲＡは、広帯域ＣＤＭＡ（ＷＣＤＭＡ（登録商標））およびＣＤＭＡの他の変形物を含む。ＴＤＭＡネットワークは、モバイル通信のためのグローバルシステム（ＧＳＭ（登録商標））のような無線技術を実施し得る。ＯＦＤＭＡシステムは、ウルトラモバイルブロードバンド（ＵＭＢ）、発展型ＵＴＲＡ（Ｅ-ＵＴＲＡ）、ＩＥＥＥ８０２．１１（Ｗｉ-Ｆｉ）、ＩＥＥＥ８０２．１６（ＷｉＭａｘ）、ＩＥＥＥ８０２．２０、Ｆｌａｓｈ−ＯＦＤＭ等の無線技術を実装することができる。ＵＴＲＡおよびＥ−ＵＴＲＡは、ユニバーサルモバイルテレコミュニケ―ションシステム（ＵＭＴＳ）の一部である。３ＧＰＰ（登録商標）ロングタームエボリューション（ＬＴＥ（登録商標））およびＬＴＥ−アドバンスト（ＬＴＥ−Ａ）は、Ｅ−ＵＴＲＡを使用するユニバーサルモバイル電気通信システム（ＵＭＴＳ）の新リリースである。ＵＴＲＡ、Ｅ−ＵＴＲＡ、ＵＭＴＳ、ＬＴＥ、ＬＴＥ−Ａ、およびモバイル通信のためのグローバルシステム（ＧＳＭ）は、「第３世代パートナーシッププロジェクト」（３ＧＰＰ）という名称の団体からの文書中に説明されている。ＣＤＭＡ２０００およびＵＭＢは、「第３世代パートナーシッププロジェクト２」（３ＧＰＰ２）という名称の団体からの文書中に説明されている。本明細書で説明されている技法は、上述されたシステムおよび無線技術にも、他のシステムおよび無線技術にも使用され得る。しかしながら、上記の説明は、例示の目的でＬＴＥシステムを記載するものであり、ＬＴＥ用語が上記の説明の大部分中で使用されているが、本技法は、ＬＴＥ用途以外にも適用可能である。
以下に本願の出願当初の特許請求の範囲に記載された発明を付記する。
[Ｃ１]  ワイヤレスデバイスにおける通信の方法であって、
第１の送信時間期間中に共有またはアンライセンススペクトル内のキャリア上で信号を送信することと、
前記キャリアについて媒体プリエンプション機会を識別することと、
前記媒体プリエンプション機会中に媒体プリエンプションのインジケーションを受信することと、
前記媒体プリエンプションのインジケーションと優先ステータスとに少なくとも部分的に基づいて、後続の送信時間期間中に前記キャリア上で送信することを控えることと  を備える方法。
[Ｃ２]  前記共有またはアンライセンススペクトルについてクリアチャネルアセスメント（ＣＣＡ）を実施することと、
前記ＣＣＡに少なくとも部分的に基づいて、前記第１の送信時間期間中に前記信号を送信するために前記共有またはアンライセンススペクトルが利用可能であるかどうかを決定することと
をさらに備える、Ｃ１に記載の方法。
[Ｃ３]  前記ＣＣＡを実施することは、
前記共有またはアンライセンススペクトル上のエネルギープロファイルを検出すること、または前記共有またはアンライセンススペクトル上で送信されたプリアンブルを監視することを備える、
Ｃ２に記載の方法。
[Ｃ４]  前記ＣＣＡの最小ベースステップの長さは、前記媒体プリエンプション機会の長さよりも長い、Ｃ２に記載の方法。
[Ｃ５]  前記ＣＣＡの長さは、優先ステータスの順序付きセットからの、ある優先ステータスに少なくとも部分的に基づく、Ｃ４に記載の方法。
[Ｃ６]  前記優先ステータスの順序付きセットからの各優先ステータスは、相互に重なり合っていないＣＣＡカウンタレンジのセットからの、あるＣＣＡカウンタレンジに関連付けられ、各ＣＣＡカウンタレンジについての最小値は、あらゆる先行ＣＣＡカウンタレンジについての最大値よりも大きい、Ｃ５に記載の方法。
[Ｃ７]  前記共有またはアンライセンススペクトルを備える周波数帯は、少なくとも１つの優先ネットワークオペレータにライセンスされ、前記優先ステータスは、前記周波数帯を使用する非優先ネットワークオペレータに関連付けられる、Ｃ１に記載の方法。
[Ｃ８]  ワイヤレスデバイスにおける通信の方法であって、
共有またはアンライセンススペクトルについての優先ワイヤレスデバイスによる前記共有またはアンライセンススペクトル内のキャリアを通じた送信のための通信を識別することと、
前記共有またはアンライセンススペクトルの周波数範囲が非優先ワイヤレスデバイスによって使用されているかどうかを決定することと、
前記キャリアについて媒体プリエンプション機会を識別することと、
前記媒体プリエンプション機会に少なくとも部分的に基づいて、前記キャリア上で前記通信を送信することと、
を備える方法。
[Ｃ９]  前記通信を送信することは、
前記キャリアについての次の媒体プリエンプション機会を含む通信時間期間中に、前記通信に関連付けられたシグナリングを送信することを備える、
Ｃ８に記載の方法。
[Ｃ１０]  前記キャリア上で前記通信を送信することは、
前記優先ワイヤレスデバイスによる前記共有またはアンライセンススペクトルの周波数範囲のプリエンプションを示す媒体プリエンプション信号、ランダムアクセスメッセージ、またはスケジューリング要求のうちの１つまたは複数を送信することを備える、
Ｃ８に記載の方法。
[Ｃ１１]  前記キャリア上で前記通信を送信することは、
前記媒体プリエンプション機会よりも前に、その開始時に、またはその期間中に、前記キャリア上で前記通信を送信することを開始することを備える、
Ｃ８に記載の方法。
[Ｃ１２]  ワイヤレスデバイスにおける通信のための装置であって、
第１の送信時間期間中に共有またはアンライセンススペクトル内のキャリア上で信号を送信する手段と、
前記キャリアについて媒体プリエンプション機会を識別する手段と、
前記媒体プリエンプション機会中に媒体プリエンプションのインジケーションを受信する手段と、
前記媒体プリエンプションのインジケーションと優先ステータスとに少なくとも部分的に基づいて、後続の送信時間期間中に前記キャリア上で送信することを控える手段と、  を備える装置。
[Ｃ１３]  前記共有またはアンライセンススペクトルについてクリアチャネルアセスメント（ＣＣＡ）を実施する手段と、
前記ＣＣＡに少なくとも部分的に基づいて、前記第１の送信時間期間中に前記信号を送信するために前記共有またはアンライセンススペクトルが利用可能であるかどうかを決定する手段と
をさらに備える、Ｃ１２に記載の装置。
[Ｃ１４]  前記ＣＣＡを実施する前記手段は、前記共有またはアンライセンススペクトル上のエネルギープロファイルを検出する、または前記共有またはアンライセンススペクトル上で送信されたプリアンブルを監視する、Ｃ１３に記載の装置。
[Ｃ１５]  前記ＣＣＡの最小ベースステップの長さは、前記媒体プリエンプション機会の長さよりも長い、Ｃ１３に記載の装置。
[Ｃ１６]  前記ＣＣＡの長さは、優先ステータスの順序付きセットからの、ある優先ステータスに少なくとも部分的に基づく、Ｃ１５に記載の装置。
[Ｃ１７]  前記優先ステータスの順序付きセットからの各優先ステータスは、相互に重なり合っていないＣＣＡカウンタレンジのセットからの、あるＣＣＡカウンタレンジに関連付けられ、各ＣＣＡカウンタレンジについての最小値は、あらゆる先行ＣＣＡカウンタレンジについての最大値よりも大きい、Ｃ１６に記載の装置。
[Ｃ１８]  前記共有またはアンライセンススペクトルを備える周波数帯は、少なくとも１つの優先ネットワークオペレータにライセンスされ、前記優先ステータスは、前記周波数帯の非優先ネットワークオペレータに関連付けられる、Ｃ１２に記載の装置。
[Ｃ１９]  ワイヤレスデバイスにおける通信のための装置であって、
共有またはアンライセンススペクトルについての優先ワイヤレスデバイスによる前記共有またはアンライセンススペクトル内のキャリアを通じた送信のための通信を識別する手段と、
前記共有またはアンライセンススペクトルの周波数範囲が非優先ワイヤレスデバイスによって使用されているかどうかを決定する手段と、
前記キャリアについて媒体プリエンプション機会を識別する手段と、
前記媒体プリエンプション機会に少なくとも部分的に基づいて、前記キャリア上で前記通信を送信する手段と、
を備える装置。
[Ｃ２０]  前記通信を送信する前記手段は、前記キャリアについての次の媒体プリエンプション機会を含む通信時間期間中に、前記通信に関連付けられたシグナリングを送信する、Ｃ１９に記載の装置。
[Ｃ２１]  前記通信を送信する前記手段は、前記優先ワイヤレスデバイスによる前記共有またはアンライセンススペクトルの周波数範囲のプリエンプションを示す媒体プリエンプション信号、ランダムアクセスメッセージ、またはスケジューリング要求のうちの１つまたは複数を送信する、Ｃ１９に記載の装置。
[Ｃ２２]  前記キャリア上で前記通信を送信する前記手段は、前記媒体プリエンプション機会よりも前に、その開始時に、またはその期間中に、前記キャリア上で前記通信を送信することを開始する、Ｃ１９に記載の装置。